(57)【特許請求の範囲】
【請求項１】
術部と観察者の間に配置可能で術部拡大観察用の単一の光学系を含み、更に術部撮影用光学系及び術部照明用光学系のうち少なくとも一方の光学系を含む観察部と、
上記観察部を空間的に支持すると共に、照明用光源からの光を導く照明用導光手段及び撮像素子に術部撮影光を導く撮影用導光手段のうち少なくとも一方の導光手段を含んだ支持部と、
上記観察部を上記支持部とは別に予め滅菌消毒しておけるようにして上記支持部に上記観察部を着脱可能に連結可能であると共に、上記観察部を上記支持部に連結したとき、上記観察部の光学系をこの光学系に対応する上記支持部の導光手段に接続する接続部分を内蔵した連結部と、
を具備したことを特徴とする手術用拡大観察装置。
【請求項２】
上記拡大観察用の単一の光学系をフレネルレンズで構成したことを特徴とする請求項１に記載の手術用拡大観察装置。
【請求項３】
上記観察部を単体のプラスチックで構成したことを特徴とする請求項１または請求項２に記載の手術用拡大観察装置。
【発明の詳細な説明】
【０００１】
【発明の属する技術分野】
本発明は術部を拡大観察しながら手術を行う際に用いる手術用拡大観察装置に関する。
【０００２】
【従来の技術】
従来、術部を拡大観察しながら手術を行う際に術部と観察者の間に配置して用いられる小型の手術用拡大観察装置が、特公昭５５−９２１７号公報において知られている。この手術用拡大観察装置は術者の頭部に装着して使用される。この手術用拡大観察装置には拡大下の照明光量不足を補う目的で光源が配設されている。
【０００３】
これとは別に、特開昭６３−２１０９０８号公報にはレンズ単独で拡大観察するようにした観察装置が提案されている。実際の手術に供ぜられる場面でこの観察装置は図示しない支持装置によって空間的に支持される。さらに、この種の手術作業を行うためには立体観察が必須であるため、上記観察装置のレンズは口径が比較的大きなものが使用される。
【０００４】
一方、特開平３−２０５０４９号公報に開示されている手術用顕微鏡は術部を照明する光源を備え、術部を照明しながら拡大観察し、または撮影するようになっている。
【０００５】
また、特開昭５９−５０４１８号公報にはテレビカメラによって撮影されるように構成した手術用顕微鏡の鏡体部が開示されている。そして、実際の手術に供ぜられる場面では手術用顕微鏡の鏡体部が術部の近くに配置されて使用される。
【０００６】
さらに、特開平３−２０５０４９号公報には術部の汚染を防止する目的で、鏡体部をドレープによって完全に覆うようにしたものが提案されている。
【０００７】
一般に、拡大観察用の光学系には凹または凸レンズなどの光学部材が用いられている（特開昭６３−２１０９０８号公報）。さらに、観察部は光学部材と、これを支持する本体フレームとで構成されている。
【０００８】
【発明が解決しようとする課題】
特公昭５５−９２１７号公報において知られる手術用拡大観察装置にあっては手術中、常に装置を術者の頭部に装着しておかなければならず、長時間に及ぶ手術では装置の重量によって術者に大きな疲労を招く。また、手術中は術部のみを観察しているわけではなく、例えば、術前のＣＴやＭＲＩのモニター画面の像をしばしば観察する必要があるが、モニター画面を観察する場面では頭部から手術用拡大観察装置をその都度、着脱することを余儀なくされる。このため、本手術用拡大観察装置により術部を汚染しないように術者には大変な注意力が要求される。さらに、術部から長い距離をあけて拡大観察しているため、術者の頭部が多少動いただけでも視野を見失ったり、あるいは視野を安定させ難く、作業性が非常に悪い。
【０００９】
これに対して上述した特開昭６３−２１０９０８号公報に開示された観察装置では図示しない支持装置によって観察装置部を保持しながら使用するため、視野観察の安定性がよく、視野を見失ったり、視野が不安定になったりするような問題は回避される。しかし、比較的大きな口径のレンズを術部に近い位置に配置しなければならないため、術部を汚染しやすくなってしまう。
【００１０】
一方、特開平３−２０５０４９号公報の手術用顕微鏡では術部を照明しながら拡大観察し、または撮影するために微細な手術、いわゆるマイクロサージャリーには大変に便利な装置であるが、実際には２倍から３倍の拡大で充分な手術も多くあり、こういった場面で使用する場合には大掛かり過ぎる装置と言わざるを得ない。しかも、大型な装置であるために手術室への移動に手間かかかる上、手術室内で必要以上に広く場所を取る。また、術部の汚染を防止するためのドレープも大きく複雑で、そのドレープの装着作業に手間がかかる。
【００１１】
さらに、特開昭５９−５０４１８号公報に示される手術用顕微鏡にあってはその顕微鏡の鏡体部及び撮影装置が術部の近くに配置されるため、手術作業の邪魔となる。
【００１２】
また、特開昭６３−２１０９０８号公報に示される観察装置はレンズ単独で拡大観察するものであるため、レンズの口径を大きくした場合、そのレンズの厚みが増して大型化すると共に高重量化する。その結果、手術作業の邪魔になり、また、そのレンズを支持する支持装置が大掛かりなものとなる。
【００１３】
さらに、特開昭６３−２１０９０８号公報に示される観察装置はレンズとこれを支持するフレームによって構成されているが、これをガスなどで滅菌、消毒しようとした場合、その両者の連結部の隙間部分へのガス進入が不十分となる可能性があり、これを回避するためには長時間のガス滅菌処理が必要であり、高コスト化を招く。また、組み立て構造とするため、その部品そのものが高価になり、特に術者の滅菌作業を省略可能なディスポーサブル化することは困難である。
【００１４】
本発明は上記課題に着目してなされたもので、その第１の目的は、視野観察の安定性が良く、しかも、術部の汚染を防止することができるようにした手術用拡大観察装置を提供することにある。
本発明の第２の目的は、例えば、術部の照明または撮影を含む２倍から３倍程度の拡大で充分な手術の場面でも簡便かつ安価に使用することが最適な手術用拡大観察装置を提供することである。
本発明の第３の目的は、レンズの口径を大きくした場合であっても、そのレンズの厚みが増さずに、レンズとそれを支持する支持装置の小型化と軽量化することができると共に、その手術作業が容易な手術用拡大観察装置を提供することである。
本発明の第４の目的は、術者の滅菌作業を省略可能なディスポーッサブル化を経済的に達成できる手術用拡大観察装置を提供することである。
【００１５】
【課題を解決するための手段及び作用】
請求項１の発明は、術部と観察者の間に配置可能で術部拡大観察用の単一の光学系を含み、更に術部撮影用光学系及び術部照明用光学系のうち少なくとも一方の光学系を含む観察部と、上記観察部を空間的に支持すると共に、照明用光源からの光を導く照明用導光手段及び撮像素子に術部撮影光を導く撮影用導光手段のうち少なくとも一方の導光手段を含んだ支持部と、上記観察部を上記支持部とは別に予め滅菌消毒しておけるようにして上記支持部に上記観察部を着脱可能に連結可能であると共に、上記観察部を上記支持部に連結したとき、上記観察部の光学系をこの光学系に対応する上記支持部の導光手段に接続する接続部分を内蔵した連結部と、を具備したことを特徴とする手術用拡大観察装置である。
【００１６】
請求項２の発明は、上記拡大観察用の単一の光学系をフレネルレンズで構成したことを特徴とする請求項１に記載の手術用拡大観察装置である。
【００１７】
請求項３の発明は、上記観察部を単体のプラスチックで構成したことを特徴とする請求項１または請求項２に記載の手術用拡大観察装置である。
【００１９】
【発明の実施の形態】
［第１の実施形態］
図１を参照して、本発明の第１実施形態に係る手術用拡大観察装置について説明する。
【００２０】
（構成）
図１は手術用拡大観察装置を示し、同図中、１はその手術用拡大観察装置における観察部である。観察部１はフレーム２を有し、このフレーム２にはガラス製の術部拡大観察用のレンズ３，４が設けられている。術者はこの２枚のレンズ３，４を介して両眼で術部を拡大観察する。本発明ではこれを単一光学系と扱う。
【００２１】
また、上記フレーム２の側壁には円柱形状をなした接続用突起５が配設され、この接続用突起５は側方に向けて突出している。この接続用突起５の周面には全周にわたり環状にＶ状の溝６が形成されている。この観察部１は使用に供される前に予め滅菌消毒が施される。
【００２２】
図１中、７は手術用拡大観察装置における支持部であり、この支持部７によって上記観察部１を支持するようになっている。支持部７はベット固定部８、第１アーム９、第２アーム１０、第３アーム１１を順次連結した構成であり、具体的には上記べット固定部８は手術用ベット１２の側壁に対して支持され、上記第１アーム９は上記ベット固定部８に対して鉛直な回転軸Ａまわりに回転自在に接続され、上記第２アーム１０は第１アーム９に対して紙面に垂直、つまり水平な回転軸Ｂまわりに回転自在に接続され、上記第３アーム１１は第２アーム１０に対して紙面に垂直で、水平な回転軸Ｃまわりに回転自在に接続されている。
【００２３】
ここで、それぞれの部材が回転運動する際には摩擦力等による自立可能な適度な抵抗力を持たせており、移動操作後の位置にその抵抗力で、上記観察部１を支持した支持部７の姿勢を保持し得るようになっている。
【００２４】
上記第３アーム１１の先端部分には上記接続用突起５と係合する接続穴１３が同軸的に形成されており、この接続穴１３の内周には上記接続用突起５のＶ状の溝６に向けて突き出し、その溝６と組み合わせて、クリック動作を行う複数のボールクリック１４が内蔵されている。従って、観察部１は支持部７に着脱自在であり、その支持部７により観察部１は術部と観察者の間の空間に入り込んで任意の空間位置に支持される。
【００２５】
（作用）
手術用拡大観察装置を使用する場合、初めに使用者は、手術用ベット１２に支持部７を固定する。次に、使用者は支持部７とは別に予め滅菌、消毒が施されて供給される観察部１を上記支持部７に接続する。このとき、観察部１の接続用突起５を支持部７の接続穴１３に差し込むことにより装着する。つまり接続穴１３に挿入された接続用突起５が、その接続穴１３の底部に突き当たると同時に、Ｖ状の溝６にボールクリック１４のボールが自動的に落ち込み係合する。これによって観察部１は支持部７に接続される。この接続作業は当然ながら清潔な使用者によって行われる。
【００２６】
図１で示す如く、術者１５は観察部１を移動させて、患者１６と術者１５の間の手術作業に最適な位置に観察部１を配置する作業を行う。この観察部１を移動させる操作に伴い、相応する動きが支持部７の各部に起きる。すなわち、支持部７の第１アーム９がベット固定部８に対して回転軸Ａまわりに回転して動き、第２アーム１０が第１アーム９に対して回転軸Ｂまわりに回転して動き、第３アーム１１が第２アーム１０に対して回転軸Ｃまわりに回転して動く。観察部１を所定の位置に移動させた後は各部材間に作用する前述の抵抗力によりその観察部１を位置させた位置に保持される。
【００２７】
手術中、術部１７はレンズ４、レンズ３を順に介して、術者１５により観察される。その状態で、例えば、メス１８で術部１７を切開するなどの手術作業が行われる。手術後は前述と逆の手順及び作用で観察部１を支持部７から取り外す。
【００２８】
（効果）
本実施形態によれば、使用する際に予め滅菌消毒が施された観察部１を支持部７に装着して使用に供される。このため、観察部１によって術部を汚染する虞がなく、術部を汚染しないように注意する術者の負担を大幅に軽減することができる。また、支持部７で観察部１を支持しながら観察部１を使用できるから視野が安定的に得られ、視野を見失うことがなく、作業性が良い。また、大型な装置である必要はないためにその取り扱いが簡便であり、手術室内で広い場所を占有しない。また、術部の汚染を防止するためにドレープを装着する場合にはその装着作業の手間がかからない。さらに、術部拡大観察用の単一光学系がガラス製のレンズ３，４で構成されているため、観察像が非常に鮮明である。
【００２９】
［第２の実施形態］
図２を参照して、本発明の第２実施形態に係る手術用拡大観察装置について説明する。
【００３０】
（構成）
図２中、１９は第２実施形態に係る手術用拡大観察装置の観察部であり、この観察部１９はフレーム２０を有し、このフレーム２０にはプラスチック製の術部拡大観察用の非球面レンズ２１が組み込まれ、さらに撮影用対物レンズ２２及び反射プリズム２３から成る術部撮影用の光学系が組み込まれている。
【００３１】
上記フレーム２０の側壁には円筒形をなした接続用突起２４が配設されており、この接続用突起２４の外周にはその全周にわたり環状にＶ状の溝２５が形成されている。そして、この接続用突起２４を利用して支持部７の第３アーム１１の端部に形成された接続穴２６に差し込まれて着脱自在に装着されるようになっている。この接続穴２６にはその内方に向けて弾性的に突き出し、上記Ｖ状の溝２５と組み合わせてクリック動作を行うボールクリック２７が内蔵されている。つまり、この接続形式は前述した第１実施形態のものと同様である。従って、観察部１９は支持部７により空間的に支持することができる。
【００３２】
上記接続用突起２４は略筒状に形成され、その内孔には上記撮影用対物レンズ２２及び反射プリズム２３を含む術部撮影用の光学系が組み込まれている。
そして、この観察部１９は使用者に供給される前に予め滅菌消毒が施される。
【００３３】
また、上記支持部７における第３アーム１１内には、上記術部撮影用の光学系に対向して、結像レンズ２８から成る導光手段と、この導光手段を介して受けた像を撮影する撮像素子２９が内蔵されている。本実施形態における支持部７はその第３アーム１１の内部の構成を除き、上述した第１実施形態のそれと同一である。
【００３４】
（作用）
第１実施形態と同様に初めに使用者は手術用ベット１２に支持部７を固定するが、この固定に関する作用は第１実施形態の場合と同様なものであるためにその説明を省略する。
【００３５】
次に、使用者は支持部７とは別に供される、予め滅菌、消毒が施された観察部１９を支持部７に接続する。このとき、接続用突起２４を接続穴２６に挿入する。すると、挿入された接続用突起２４が接続穴２６の底部に突き当たると同時に、Ｖ状の溝２５にボールクリック２７のボールが自動的に落ち込み係合する。これによって観察部１９は支持部７に接続される。この接続作業は当然ながら清潔な使用者によって行われる。
【００３６】
そして、術者１５は、第１実施形態と同様に観察部１９を移動させ、患者１６と術者１５の間の手術作業に最適な位置に観察部１９を配置する。観察部１９の移動に伴い、ベット固定部８に対して第１アーム９が、第１アーム９に対して第２アーム１０が、第２アーム１０に対して第３アーム１１がそれぞれ回転軸Ａ，Ｂ，Ｃまわりに回転し、移動後は前述の抵抗力によりその位置に観察部１９が保持される。
【００３７】
手術中、術部１７はレンズ２１を介して術者１５により観察される。その状態で、例えば術部１７をメス１８で切開するなどの、手術作業が行われる。術部１７の様子は撮影用対物レンズ２２を介した後、反射プリズム２３で反射され、さらに、結像レンズ２８によって撮像素子２９に結像し、撮影される。そして、図示しないモニター画面に観察像を表示したり、あるいは公知の記録装置に記録させたりする。手術後は前述と逆の手順及び作用で観察部１９を支持部７から取り外す。
【００３８】
（効果）
本実施形態によれば、術部拡大観察用の単一光学系がプラスチック製の非球面レンズ２１で構成されているため、観察部１９が薄型にできる。その結果、観察部１９と術部１７との距離が広くとれるので、手術作業が行い易い。また、観察部１９に撮影用対物レンズ２２及び反射プリズム２３から成る術部撮影用の光学系が、支持部７に結像レンズ２８から成る導光手段、及び撮像素子２９が内蔵されているため、術部１７の様子を第３者が観察できたり、あるいは記録できたりする。
【００３９】
ここで、結像レンズ２８及び撮像素子２９を支持部７の外に配置し、そこまで光学リレー系などを利用した導光手段で撮影光を導いても同様の効果が得られることは説明するまでもない。
【００４０】
［第３実施形態］
図３を参照して、本発明の第３実施形態に係る手術用拡大観察装置について説明する。
【００４１】
（構成）
図３中、３０は本実施形態における観察部であり、この観察部３０はフレーム３１内にプラスチック製の術部拡大観察用のフレネルレンズ３２と、オプティカルプラスチックファイバー３３から成る術部照明用の光学系が内蔵されている。上記フレーム２０には円柱形をなした接続用突起３４が配設されており、この接続用突起３４の外周には、その全周にわたり環状にＶ状の溝３５が形成されている。そして、この接続用突起３４を利用して支持部７の第３アーム１１の端部に形成された接続穴３６に差し込まれて着脱自在に装着されるようになっている。上述の観察部３０は使用者に供される前に予め滅菌、消毒が施されるようになっている。
【００４２】
本実施形態における支持部７は第３アーム１１の内部構成を除き、第１実施形態のそれと同一であるため、その部分の図及び説明を省略する。上記第３アーム１１の端部には上記接続用突起３４と係合する接続穴３６が形成されており、この接続穴３６の内周に向け、上記Ｖ状の溝３５と組み合わせてクリック動作を行うボールクリック３７が内蔵されている。従って、観察部３０は支持部７により空間的に支持される。
【００４３】
また、第３アーム１１内にはオプティカルファイバー３８から成る導光手段が内蔵され、そのオプティカルファイバー３８の一端側はその第３アーム１１から導出され、光源装置３９に接続されている。
【００４４】
（作用）
第１実施形態と同様に初めに使用者は手術用ベット１２に支持部７を固定するが、この固定に関する作用についての説明は省略する。次に、使用者は支持部７とは別に供給される、予め滅菌、消毒が施された観察部３０を支持部７に接続するが、このとき、接続穴３６に挿入された接続用突起３４がその接続穴３６の底部に突き当たると同時に、Ｖ状の溝３５にボールクリック３７のボールが落ち込み係合する。これによって観察部３０は支持部７に接続される。この接続作業は当然ながら清潔な使用者によって行われる。
【００４５】
また、第１実施形態と同様に、術者１５は観察部３０を移動させ、患者１６と術者１５の間の空間において手術作業に最適な位置に観察部３０を配置する。観察部３０の移動に伴い、ベット固定部８に対して第１アーム９が、第１アーム９に対して第２アーム１０が、第２アーム１０に対して第３アーム１１がそれぞれ回転軸Ａ、Ｂ、Ｃまわりに回転し、観察部３０を移動後は前述の抵抗力によりその位置に保持される。
【００４６】
手術中、術部１７はレンズ３２を介して術者１５により観察される。その状態で、例えば術部１７をメス１８で切開するなどの、手術作業が行われる。また、術部１７には光源装置３９からの照明光が、オプティカルファイバー３８、オプティカルプラスチックファイバー３３を介して照射される。手術後は前述と逆の手順及び作用で観察部３０を支持部７から取り外す。
【００４７】
（効果）
本実施形態によれば、術部拡大観察用の単一光学系がプラスチック製のフレネルレンズ３２で構成したので、観察部３０がより薄型にでき、その結果、観察部１９と術部１７との距離がより広くとれるので、手術作業が行われ易い。
【００４８】
また、観察部３０にオプティカルプラスチックファイバー３３から成る術部照明用の光学系が設けられ、支持部７にはオプティカルファイバー３８から成る導光手段が内蔵されているため、光源装置３９からの照明光を術部１７へと導き照明することができる。さらに、観察部３０に内蔵される光学部材、つまりフレネルレンズ３２とオプティカルプラスチックファイバー３３は共にプラスチック製のものであるために軽量であり、これを支持する支持部７への重量負担が軽減される。その結果、支持部７がシンプルな構成のものとすることができる。この点でも手術作業を容易に行うことができるようになる。
【００４９】
［第４実施形態］
図４及び図５を参照して、本発明の第４実施形態に係る手術用拡大観察装置について説明する。
【００５０】
（構成）
図４は本実施形態における観察部４０の使用状態を示し、図５は患者１６側から見た観察部４０の状態を示す。観察部４０はフレーム部分４１を含めて単体のプラスチック部材であり、樹脂によりモールド成形して一体に形成したものである。この中には術部拡大観察用のフレネルレンズ領域４２ａ、術部撮影及び術部照明用の反射プリズム領域４２ｂ、及び接続用突起部４３が、一体に形成されている。この観察部４０は使用に供される前に滅菌消毒が予め施される。
【００５１】
本実施形態における支持部７は第３アーム１１の内部構成を除き、上述した第１実施形態のそれと同一のため、図及び説明を省略する。第３アーム１１の端部には、上記接続用突起部４３と係合する接続穴４４が形成されており、この接続穴４４には接続穴４４よりもやや内径が小さいＯリング４５が埋設されている。接続穴４４に接続用突起部４３を差し込んで係合させることにより、観察部４０は支持部７に保持され、空間中に支持されるようになっている。
【００５２】
また、第３アーム１１内には投光レンズ４６、オプティカルファイバー４７から成る照明用の導光手段が内蔵され、その一端側は図示しない光源装置に接続されている。さらに、結像レンズ４８から成る撮影用の導光手段、及び撮像素子４９が内蔵されている。
【００５３】
（作用）
第１実施形態と同様に、初めに使用者は手術用ベット１２に支持部７を固定する。次に、使用者は支持部７とは別に提供される、予め滅菌、消毒が施された観察部４０を支持部７に接続する。このとき、接続用突起部４３を接続穴４４に挿入すると、挿入された接続用突起部４３はＯリング４５の弾性力により第３アーム１１に保持され、これによって観察部４０は支持部７に接続される。この接続作業は当然ながら清潔な使用者によって行われる。
【００５４】
そして、第１実施形態と同様に術者１５は観察部４０を移動させ、患者１６と術者１５の間の手術作業に最適な位置に配置する。観察部４０の移動に伴い、ベット固定部８に対して第１アーム９が、第１アーム９に対して第２アーム１０が、第２アーム１０に対して第３アーム１１がそれぞれ回転軸Ａ，Ｂ，Ｃまわりに回転し、移動後は前述の抵抗力によりその位置が保たれる。手術中、術部１７はフレネルレンズ領域４２ａを介して術者１５により観察される。その状態で、例えば術部１７をメス１８で切開するなどの、手術作業が行われる。
【００５５】
また、術部１７には図示しない光源装置からの照明光が、オプティカルファイバー４７、投光レンズ４６を介して、反射プリズム領域４２ｂで反射され、照射される。さらに、術部１７の様子は反射プリズム領域４２ｂで反射され、結像レンズ４８によって撮像素子４９に結像し、図示しないモニター画面に表示されたり、あるいは公知の記録装置に記録される。手術後は、前述と逆の手順及び作用で観察部３０を支持部７から取り外す。
【００５６】
（効果）
本実施形態によれば、拡大観察用の単一光学系、術部撮影用光学系、術部照明用光学系が単体のプラスチック部材のフレネルレンズ領域４２ａ、術部撮影用及び術部照明用の反射プリズム領域４２ｂで構成されている上、接続用突起部４３さえも同一部材に形成されているため、予め、滅菌、消毒作業が容易となる。  また、第２実施形態及び第３実施形態と同等の効果が得られることは説明するまでもない。
【００５７】
＜付記＞
１．術部と観察者の間に配置可能で術部拡大観察用の単一光学系を含む観察部と、この観察部を空間的に支持する支持部とを具備し、上記観察部と支持部を着脱可能に連結すると共に、上記観察部は、支持部とは別に予め滅菌消毒しておけるようにしたことを特徴とする手術用拡大観察装置。
２．上記観察部に術部撮影用光学系及び術部照明用光学系のうち少なくとも一方を含むと共に、上記支持部に術部撮影用光学系からの光を撮像素子に導く導光手段及び光源からの光を上記術部照明用光学系に導く導光手段のうち少なくとも一方を含んだことを特徴とする第１項に記載の手術用拡大観察装置。
【００５８】
３．上記拡大観察用の単一の光学系をフレネルレンズで構成したことを特徴とする第１項または第２項に記載の拡大観察装置。
４．上記観察部を単体のプラスチックで構成したことを特徴とする第１項、第２項または第３項に記載の拡大観察装置。
【００５９】
５．上記観察部を単体のプラスチックで一体にモールド成形したことを特徴とする第１項、第２項または第３項に記載の拡大観察装置。
【００６０】
【発明の効果】
以上説明したように本発明によれば、視野観察の安定性が良いにも拘らず、術部の汚染を防止することができる手術用拡大観察装置を提供することができる。また、例えば、術部の照明または撮影を含む２倍から３倍程度の拡大で充分な手術の場面でも簡便に使用することができる最適な手術用拡大観察装置を提供することができる。
また、上記レンズの口径を大きくした場合であっても、そのレンズの厚みが増さず、レンズとそれを支持する支持装置の小型化と軽量化することができると共に、その手術作業が容易になる手術用拡大観察装置を提供することができる。  さらに、術者の滅菌作業を省略可能なディスポーッサブル化を経済的に達成できる手術用拡大観察装置を提供することができる。
【図面の簡単な説明】
【図１】第１実施形態に係る手術用拡大観察装置全体の使用状態の説明図。
【図２】第２実施形態に係る手術用拡大観察装置の観察部の使用状態の説明図。
【図３】第３実施形態に係る手術用拡大観察装置の観察部の使用状態の説明図。
【図４】第４実施形態に係る手術用拡大観察装置の観察部の使用状態の説明図。
【図５】第４実施形態に係る手術用拡大観察装置の観察部の平面図。
【符号の説明】
１…観察部、２…フレーム、３，４…術部拡大観察用レンズ、
５…接続用突起、７…支持部、１３…接続穴、１４…ボールクリック。
【図１】
0004311802.tif 000002
【図２】
0004311802.tif 000003
【図３】
0004311802.tif 000004
【図４】
0004311802.tif 000005
【図５】
0004311802.tif 000006